【手続補正書】
【提出日】平成23年11月15日(2011.11.15)
【手続補正１】
【補正対象書類名】特許請求の範囲
【補正対象項目名】全文
【補正方法】変更
【補正の内容】
【特許請求の範囲】
【請求項１】
固体撮像素子を備えた撮像装置に用いられるレンズであって、
少なくともＣｕおよび／またはＰを含む酸化物の結晶子からなり、数平均凝集粒子径が５〜２００ｎｍである近赤外線吸収粒子を含有するか、または前記近赤外線吸収粒子を含有する層を備える、撮像装置用レンズ。
【請求項２】
前記近赤外線吸収粒子を含有する層は、レンズ本体の少なくとも一方の面に形成された層である、請求項１に記載の撮像装置用レンズ。
【請求項３】
前記近赤外線吸収粒子を含有する層における前記近赤外線吸収粒子の含有量が、２０〜６０質量％である請求項１または２に記載の撮像装置用レンズ。
【請求項４】
前記近赤外線吸収粒子を含有する層は、少なくともＣｕおよび／またはＰを含む酸化物の結晶子のない近赤外線吸収材をさらに含有する、請求項１〜３のいずれか１項に記載の撮像装置用レンズ。
【請求項５】
前記近赤外線吸収粒子を含有する層における前記少なくともＣｕおよび／またはＰを含む酸化物の結晶子のない近赤外線吸収材の含有量が、０．５〜３０質量％である請求項４に記載の撮像装置用レンズ。
【請求項６】
前記少なくともＣｕおよび／またはＰを含む酸化物の結晶子のない近赤外線吸収材として、ＩＴＯ粒子を含む、請求項４または５に記載の撮像装置用レンズ。
【請求項７】
前記近赤外線吸収粒子を含有する層は、下式で表わされる透過率の変化量Ｄ’が、−０．３６％／ｎｍ以下である、請求項１〜６のいずれか１項に記載の撮像装置用レンズ。
Ｄ’（％／ｎｍ）＝［Ｔ７００（％）−Ｔ６３０（％）］／［７００（ｎｍ）−６３０（ｎｍ）］
（式中、Ｔ７００は、近赤外線吸収粒子を含有する層の透過スペクトルにおける波長７００ｎｍの透過率であり、Ｔ６３０は、近赤外線吸収粒子を含有する層の透過スペクトルにおける波長６３０ｎｍの透過率である。）
【請求項８】
前記近赤外線吸収粒子を含有するレンズである、請求項１に記載の撮像装置用レンズ。
【請求項９】
前記近赤外線吸収粒子の含有量が、２０〜６０質量％である請求項８に記載の撮像装置用レンズ。
【請求項１０】
少なくともＣｕおよび／またはＰを含む酸化物の結晶子のない近赤外線吸収材をさらに含有する、請求項８または９に記載の撮像装置用レンズ。
【請求項１１】
前記少なくともＣｕおよび／またはＰを含む酸化物の結晶子のない近赤外線吸収材の含有量が、０．５〜３０質量％である請求項１０に記載の撮像装置用レンズ。
【請求項１２】
前記少なくともＣｕおよび／またはＰを含む酸化物の結晶子のない近赤外線吸収材として、ＩＴＯ粒子を含む、請求項１０または１１に記載の撮像装置用レンズ。
【請求項１３】
下式で表わされる透過率の変化量Ｄ’が、−０．３６％／ｎｍ以下である、請求項８〜１２のいずれか１項に記載の撮像装置用レンズ。
Ｄ’（％／ｎｍ）＝［Ｔ７００（％）−Ｔ６３０（％）］／［７００（ｎｍ）−６３０（ｎｍ）］ 
（式中、Ｔ７００は、撮像装置用レンズの透過スペクトルにおける波長７００ｎｍの透過率であり、Ｔ６３０は、撮像装置用レンズの透過スペクトルにおける波長６３０ｎｍの透過率である。）
【請求項１４】
前記酸化物は、下式（１）で表わされる化合物である、請求項１〜１３のいずれか１項に記載の撮像装置用レンズ。
Ａ１／ｎＣｕＰＯ４ …（１）
（式中、Ａは、アルカリ金属（Ｌｉ、Ｎａ、Ｋ、Ｒｂ、Ｃｓ）、アルカリ土類金属（Ｍｇ、Ｃａ、Ｓｒ、Ｂａ）およびＮＨ４からなる群より選ばれる少なくとも１種であり、ｎは、Ａがアルカリ金属またはＮＨ４の場合は１であり、Ａがアルカリ土類金属の場合は２である。）
【請求項１５】
前記近赤外線吸収粒子は、Ｘ線回折から求めた結晶子の大きさが５〜８０ｎｍである、請求項１〜１４のいずれか１項に記載の撮像装置用レンズ。
【請求項１６】
前記近赤外線吸収粒子は、下式（２）で表わされる反射率の変化量Ｄが、−０．４１％／ｎｍ以下である、請求項１〜１５のいずれか１項に記載の撮像装置用レンズ。
Ｄ（％／ｎｍ）＝［Ｒ７００（％）−Ｒ６００（％）］／［７００（ｎｍ）−６００（ｎｍ）］ …（２）
（式中、Ｒ７００は、近赤外線吸収粒子の拡散反射スペクトルにおける波長７００ｎｍの反射率であり、Ｒ６００は、近赤外線吸収粒子の拡散反射スペクトルにおける波長６００ｎｍの反射率である。）
【請求項１７】
前記近赤外線吸収粒子は、拡散反射スペクトルにおける波長７１５ｎｍの反射率が、１９％以下であり、かつ波長５００ｎｍの反射率が、８５％以上である、請求項１〜１６のいずれか１項に記載の撮像装置用レンズ。
【請求項１８】
前記近赤外線吸収粒子は、顕微ＩＲスペクトルにおいて、リン酸基に帰属される１０００ｃｍ−１付近のピークの吸収強度を基準（１００％）とした際に、水に帰属される１６００ｃｍ−１付近のピークの吸収強度が８％以下であり、かつ水酸基に帰属される３７５０ｃｍ−１付近のピークの吸収強度が２６％以下である、請求項１〜１７のいずれか１項に記載の撮像装置用レンズ。
【請求項１９】
請求項１〜１８のいずれか１項に記載の撮像装置用レンズと、前記レンズを介して入射した光を受光し電気信号に変換する固体撮像素子とを具備する、撮像装置。
【手続補正２】
【補正対象書類名】明細書
【補正対象項目名】０００８
【補正方法】変更
【補正の内容】
【０００８】
本発明の一態様に係る撮像装置用レンズは、固体撮像素子を備えた撮像装置に用いられるレンズであって、少なくともＣｕおよび／またはＰを含む酸化物の結晶子からなり、数平均凝集粒子径が５〜２００ｎｍである近赤外線吸収粒子を含有するか、または前記近赤外線吸収粒子を含有する層を備えることを特徴としている。
【手続補正３】
【補正対象書類名】明細書
【補正対象項目名】０００９
【補正方法】変更
【補正の内容】
【０００９】
上記撮像装置用レンズにおいて、前記近赤外線吸収粒子を含有する層は、レンズ本体の少なくとも一方の面に形成された層であってよい。
【手続補正４】
【補正対象書類名】明細書
【補正対象項目名】００１５
【補正方法】変更
【補正の内容】
【００１５】
上記撮像装置用レンズにおいて、前記近赤外線吸収粒子を含有する層における前記近赤外線吸収粒子の含有量が、２０〜６０質量％であってよい。
【手続補正５】
【補正対象書類名】明細書
【補正対象項目名】００１６
【補正方法】変更
【補正の内容】
【００１６】
上記撮像装置用レンズにおいて、前記近赤外線吸収粒子を含有する層は、少なくともＣｕおよび／またはＰを含む酸化物の結晶子のない近赤外線吸収材をさらに含有してもよい。
【手続補正６】
【補正対象書類名】明細書
【補正対象項目名】００１７
【補正方法】変更
【補正の内容】
【００１７】
上記撮像装置用レンズにおいて、前記近赤外線吸収粒子を含有する層における前記少なくともＣｕおよび／またはＰを含む酸化物の結晶子のない近赤外線吸収材の含有量が、０．５〜３０質量％であってよい。
【手続補正７】
【補正対象書類名】明細書
【補正対象項目名】００１８
【補正方法】変更
【補正の内容】
【００１８】
上記撮像装置用レンズにおいて、前記少なくともＣｕおよび／またはＰを含む酸化物の結晶子のない近赤外線吸収材として、ＩＴＯ粒子を含んでもよい。
【手続補正８】
【補正対象書類名】明細書
【補正対象項目名】００１９
【補正方法】変更
【補正の内容】
【００１９】
上記撮像装置用レンズにおいて、前記近赤外線吸収粒子を含有する層は、下式（３）で表わされる透過率の変化量Ｄ’が、−０．３６％／ｎｍ以下であってよい。
Ｄ’（％／ｎｍ）＝［Ｔ７００（％）−Ｔ６３０（％）］／［７００（ｎｍ）−６３０（ｎｍ）］ …（３）
（式中、Ｔ７００は、近赤外線吸収粒子を含有する層の透過スペクトルにおける波長７００ｎｍの透過率であり、Ｔ６３０は、近赤外線吸収粒子を含有する層の透過スペクトルにおける波長６３０ｎｍの透過率である。）